(57)【特許請求の範囲】
【請求項１】
棟カバーとルーバーから構成される換気棟において、ルーバー内部に屋根本体に裁置する裁置板の両側端を立ち上げて支持板及び分割板を形成しその上端を折曲して支承板を形成し、前記支持板に換気口として扉状に折曲した羽根が内方に向って形成され、この羽根は略両開き状態として相対向して２列に多数形成し、換気口同士の間を分割板としその換気口同士を横方向にずらして配置し、しかもこのルーバーには、棟頂部の左右で対称構造のものを突合せて施工し、支承板の突合せ部分に断熱材が下面側より貼着して接続して成る換気棟。
【発明の詳細な説明】
【０００１】
【産業上の利用分野】
本発明は屋根裏や小屋裏などの空気を外部に逃がす換気棟に関するものである
。
【０００２】
【従来の技術】
本発明の対象である換気棟は、小屋裏や屋根裏などの空気を外気と入れ替えて夏の熱気や湿気を取り除くために施工するものである。
従来より建物の換気は、切妻屋根などでは妻側端面のかべに通気孔などを形成して行うものがあったが、近年の洋風住宅に多く見られる寄棟形式の屋根では妻部分が無く、このような屋根形状では棟頂部に換気構造が必要となる。
この換気棟を通じて小屋裏や屋根裏の換気を行うものであるが、棟から排気される空気の補充は通常軒先などから取り入れられる。
【０００３】
換気を行うためには小屋裏と外部を結ぶ換気口を設ける必要があり、この換気口は空気を流通させるために、その大きさは例えば天井の面積の１／１６００以上が必要となる。
【０００４】
このような場所に施工される換気棟は従来より種々の構造が知られ、箱形と呼ばれる高さの高いもの（特開平７−１８０３１４号）がよく知られているが、このような換気棟の条件としてはつぎのようなものが挙げられる。
【０００５】
すなわち、小屋裏の内部の空気を容易に排出できる機能を有し、強風雨のときにも換気孔から内部に雨が吹き込まない等である。
これは内部の小屋裏から上昇してくるゆるやかな空気の流れは遮断する事なく、外部の正面から吹き付ける強風雨などの強い空気のながれに対しては遮断する能力の高いことが必用とある。
【０００６】
この他にも屋根の頂部の目につき易い場所に施工するため、意匠的にも優れたものが要望され、高さが比較的低く施工したときにも建物全体の意匠を損なわないように考慮したものとして特開平７−２７９３２５号が知られている。
【０００７】
また台風などでは場所によっては毎秒４０ｍ程度の風も吹くので、換気棟自体が風圧を避けるために高さを低くしなければならず、これらの強風と共に吹き込んでくる雨水も換気棟の奥までは入らない構造が求められる。
【０００８】
【発明が解決しようとする課題】
このような従来よりの換気棟の課題として、換気能力を高めることは換気口を大きくすることであるが、これはまた外部から風雨による吹き込みの恐れも大きく、雨水の侵入も多くなり、これらを確実に防がなくてはならない。
雨水が換気棟から小屋裏などに侵入すると天井などが濡れてしまうことはもちろん、長期間にわたると換気棟本体や建物の腐食の原因にもなった。
【０００９】
施工後の外観から考慮すると、棟の高さがあまり高いと換気棟が目だちすぎて建物全体の意匠を損なうことにもなり、高さは低くして換気能力の高いものが要望されていた。
【００１０】
【課題を解決するための手段】
上記したような条件を満たすため本発明に係る換気棟は、不要な雨水の侵入を避けるため途中に空気の流路を複雑にさせて、風と一緒に吹き込んでくる雨水を内部にまで侵入させないようにしたものである。
【００１１】
このため外側のルーバー部分には扉状に開いた羽根を多数配置して、空気の流路の方向を変えて複雑にすると共に流路を長くすることにより、強風などによる雨水の侵入を防止するものとした。
【００１２】
【作用】
このように本発明に係る換気棟は内部の空気は排出し易く、また外部から吹き込む雨水などは完全に遮断できるものである。
その第一段階として扉状の羽根を多数設けたルーバーによって空気の流路を変えて複雑な経路を通過させており、これにより細かい雨滴の侵入も防止できるものである。
【００１３】
またこのような雨滴の侵入防止構造を持っているにもかかわらず、施工したときの全体の高さは極めて低いものとなっており、屋根頂部に施工しても建物全体の意匠を損なうこともない。
【００１４】
【実施例】
以下、本発明を添付図面に示した一実施例により詳説する。
図１は本発明に係る換気棟Ａを屋根Ｂの頂部に施工しキャップＪを取り付けたときの斜視図を示し、図２は同じく換気棟Ａの分解斜視図である。
【００１５】
換気棟Ａは上部に覆せる棟カバー１、およびルーバー３から構成され、棟カバー１は棟頂部１３にて施工する屋根の勾配に合わせて折曲され、両側端部は下方の折曲して垂下片１１およびその先端を裏面に折り返した折り返し片１２が形成されている。
【００１６】
長手方向の長さは本実施例では１ｍ程度としたが、この長さは特に技術上の制約は特になく例えば２ｍないし３ｍでも可能で、換気する小屋裏の面積などを勘案してその長さを決めればよく、たとえば１ｍより短いものを多数接続させて施工することも可能である。
この棟カバー１の垂下片１１には固定用のリベット孔１４が適宜な間隔で窄設され、図示例のものでは片側に４箇所設けた。
リベット孔１４は本体２のリベット孔２９とルーバー３のリベット孔３９を相互にネジＧにて固定するものであり、従ってそれぞれの孔位置は相互に対応したものとなっている。
【００１７】
この時ルーバー３の扉状部分を通して、奥の小屋裏との間には通気部Ｋが形成され、小屋裏からの空気の通路となっている。（図５）
【００１８】
ルーバー３（図３）は本体２に裁置する裁置板３６の両側端を立ち上げて支持板３４及び分割板３７が設けられ、この支持板３４の両端縁からはそれぞれ扉状に折曲した羽根３３が内方に向かって形成されている。
この羽根３３は略両開き状態として相対向して２列に形成され、相対向した羽根３３は換気口３５どうしを横方向にずらして配置し、空気の流通経路を長くして、直線的に連通させず、強風と共に入ってくる雨滴などを途中で落下させて侵入を防ぐ構造となっている。
【００１９】
支持板３４と分割板３７の上端は長手方向に連続して棟頂部方向に折曲されて支承板３２が形成され棟カバー１の下面側に当接して支承するものである。
【００２０】
またルーバー３の水下側は押圧板３１が折曲され、更にその先端を下方に折曲してリベット孔３９を窄設した垂下片４０が設けられている。
このルーバー３は棟頂部の左右で対称構造のものを突き合わせて施工するが、この支承板３２の突合せ部分に発泡ゴムのような断熱材Ｄが下面側より貼着して接続され、この断熱材Ｄによって湿気による結露を防止するものである。
この結露は小屋裏の暖かく湿った空気が上方に上がってきて、冷たい棟板部分で発生するものであるが、この空気と支承板３２の直接当たる部分の温度差を断熱材Ｄによって少なくして結露を防ぐものである。
【００２１】
また本体２の底板２４の下面側にも帯状の弾性材Ｃが全長にわたって貼着されており、この弾性材Ｃは屋根面から強風と共に吹き上がって来る雨水が隙間に侵入するのを防ぐものである。
【００２２】
そしてこの本体２を施工する際には、裁置板３６に設けられた釘孔３８（図２）にて野地板Ｆと固定されるものである。
【００２３】
上記の如く構成される各部を屋根の頂部に施工するが、この頂部には予め空気が流通するような小屋裏や屋根裏と連続した通気部Ｋが形成されているが、これは屋根面頂部の野地板などを切り欠いて形成しておく。
【００２４】
この頂部に本発明に係る換気棟を施工するが、ルーバー３を棟の頂部を跨ぐようにして配置し、前記釘孔３８にて屋根の野地板ＦやタルキＩに固定釘Ｈにて固定するものである。（図５）
この固定釘Ｈは屋根材Ｂを貫通して固定されているが、弾性材Ｃによって雨水の吹き込みによる水漏れの恐れはない。
また棟カバー１は側部からネジＧなどにより固定すればよい。
【００２５】
図５において小屋裏の内部から上昇して来る空気の流れｔと、反対側の換気口から通過して来る空気の流れＳは、通気部Ｋを通過して外部に排出されるものである。
【００２６】
【発明の効果】
上記したように本発明に係る換気棟は、扉状のルーバーなどによる構造であるため強風雨などに対して従来にない種々の効果を有するものである。
【００２７】
１．相互に互い違いとなる扉状のルーバーが設けてあるため、外部から吹き込む風雨に対して複雑な流路を有するようになり、雨滴などに対して十分な遮断効果が得られ、雨滴などが吹き込んで内部を濡らすようなこともない。
２．本発明による構造は、棟カバーを含めて全体の高さを低くできるため屋根の棟に設置したときにも外観を損なうことがない。
３．扉状のルーバー部分は板材が垂直に位置するため垂直方向の力に対しては極めて強く、施工時に踏むなどの重量が掛かっても破損しないものである。
４．本発明の換気棟はその構造も簡易なためコスト的にも有利であり、大量生産により安価に提供できる。
【図面の簡単な説明】
【図１】は本発明に係る実施例である換気棟を屋根に施工したときの斜視図、
【図２】は同上の換気棟の分解斜視図、
【図３】は同上の換気棟のルーバーの斜視図、
【図４】は同上の換気棟のルーバーの平面図、
【図５】は同上の換気棟の端部の斜視図、
【図６】は同上の換気棟を屋根に施工したときの側面断面図。
Ａ・・・換気棟
Ｂ・・・屋根材
Ｃ・・・弾性材
Ｄ・・・断熱材
Ｅ・・・シート
Ｆ・・・野地板
Ｇ・・・ネジ
Ｈ・・・固定釘
Ｉ・・・タルキ
Ｊ・・・キャップ
Ｋ・・・通気部
１・・・棟カバー
１１・・垂下片
１２・・折返し片
１３・・棟頂部
１４・・リベット孔
３・・・ルーバー
３１・・押圧板
３２・・支承板
３３・・羽根
３４・・支持板
３５・・換気口
３６・・裁置板
３７・・分割板
３８・・釘孔
３９・・リベット孔
４０・・垂下片
【図１】
0004094130.tif 000002
【図２】
0004094130.tif 000003
【図３】
0004094130.tif 000004
【図４】
0004094130.tif 000005
【図５】
0004094130.tif 000006
【図６】
0004094130.tif 000007